(57)【特許請求の範囲】
【請求項１】
スピーカの駆動を行う第１および第２のスピーカアンプであって、各々異なる電源端子を介して電源が供給される第１および第２のスピーカアンプのうちの少なくとも第２のスピーカアンプに対する電源の供給の有無を判定し、その判定結果を示す信号を出力する判定部と、
第１および第２のチャネルの音声信号をミキシングして出力するミキシング部と、
前記第２のスピーカアンプに電源が供給されていることを示す信号を前記判定部から受け取った場合には前記第１および第２のチャネルの音声信号が前記第１および第２のスピーカアンプに各々供給されるように音声信号の伝達経路を切り換え、前記第２のスピーカアンプに電源が供給されていないことを示す信号を前記判定部から受け取った場合には前記第１のスピーカアンプに前記ミキシング部の出力信号が供給されるように音声信号の伝達経路を切り換える切り換え部と、
前記第２のスピーカアンプに電源が供給されていないことを示す信号を前記判定部から受け取った場合に前記第２のスピーカアンプおよびこれを駆動する回路を強制的にパワーダウン状態とするパワーダウン制御部と
を具備することを特徴とするステレオ／モノラル切り換え回路。
【請求項２】
スピーカの駆動を行う第１および第２のスピーカアンプであって、各々異なる電源端子を介して電源が供給される第１および第２のスピーカアンプの各々に対する電源の供給の有無を判定し、その判定結果を示す信号を出力する判定部と、
第１および第２のチャネルの音声信号をミキシングして出力するミキシング部と、
前記第１および第２のスピーカアンプの両方に電源が供給されていることを示す信号を前記判定部から受け取った場合には前記第１および第２のチャネルの音声信号が前記第１および第２のスピーカアンプに各々供給されるように音声信号の伝達経路を切り換え、前記第１および第２のスピーカアンプの何れか一方に電源が供給されていることを示す信号を前記判定部から受け取った場合には電源が供給されているスピーカアンプに前記ミキシング部の出力信号が供給されるように音声信号の伝達経路を切り換える切り換え部と、
前記第１または第２のスピーカアンプの何れか一方の電源が供給されていることを示す信号を前記判定部から受け取った場合に、電源が供給されていないスピーカアンプおよびこれを駆動する回路を強制的にパワーダウン状態とするパワーダウン部と
を具備することを特徴とするステレオ／モノラル切り換え回路。
【請求項３】
前記第１および第２のチャネルの音声信号を出力する音声出力部と、
請求項１または２に記載のステレオ／モノラル切り換え回路と
を同一チップに搭載してなることを特徴とする集積回路。
【発明の詳細な説明】
【技術分野】
【０００１】
この発明は、ステレオ／モノラル切り換え回路と、このステレオ／モノラル切り換え回路を備え、ステレオ再生を行う機器およびモノラル再生を行う機器の両方に搭載可能な音源集積回路等の集積回路に関する。
【背景技術】
【０００２】
携帯電話機等のオーディオ機器の製造では、製造コストを低く抑えるため、ステレオ再生およびモノラル再生の両方に対応可能な音源ＬＳＩ（Ｌａｒｇｅ  Ｓｃａｌｅ  Ｉｎｔｅｇｅｒａｔｅｄ  ｃｉｒｃｕｉｔ；大規模集積回路）を製造し、これをステレオ再生対応の機器の製造とモノラル再生対応の機器の製造の両方に使用する、ということが行われる場合がある。
【０００３】
図４は、この種の音源ＬＳＩの出力部の構成例を示すブロック図である。この音源ＬＳＩにおいて、スピーカアンプ１１および１２は、各々別個の電源端子２１および２２を介して電源の供給を受け、スピーカ端子３１および３２に接続された各スピーカ（図示略）を各々駆動するアンプである。プリアンプ４１および４２は、各々の入力信号に基づいて、スピーカアンプ１１および１２を各々駆動するアンプである。このプリアンプ４１および４２等、音源ＬＳＩにおけるスピーカアンプ１１および１２以外の回路には、電源端子２１および２２とは別の電源端子を介して電源ＡＶＤＤが供給される。
【０００４】
スピーカアンプ１１および１２と、それらを駆動するプリアンプ４１および４２は、入力信号を増幅して出力するアクティブ状態と、増幅動作を行わず、消費電力が極めて低いパワーダウン状態とを有するアンプである。スピーカアンプ１１およびその前段のプリアンプ４１は、音源ＬＳＩの外部のホストＣＰＵ（図示略）から供給されるパワーダウン制御信号ＰＤＬが“０”のときはアクティブ状態、“１”のときはパワーダウン状態となる。同様に、スピーカアンプ１２およびその前段のプリアンプ４２は、ホストＣＰＵから供給されるパワーダウン制御信号ＰＤＲが“０”のときはアクティブ状態、“１”のときはパワーダウン状態となる。
【０００５】
加算器５０は、音源ＬＳＩ内の音源部（図示略）から供給されるＬチャネルの音声信号ＳＬとＲチャネルの音声信号ＳＲとをミキシングして出力する回路である。アナログスイッチ６１は、ホストＣＰＵから供給されるモノラル／ステレオ制御信号Ｍ／Ｓが“１”であるときは加算器５０の出力信号を、“０”であるときはＬチャネル音声信号ＳＬを選択し、プリアンプ４１へ供給する。
以上がこの音源ＬＳＩの出力部の構成である。
【０００６】
この音源ＬＳＩは、Ｌ、Ｒ２チャネルのスピーカを備えたステレオ再生対応機器と１個のスピーカを備えたモノラル再生対応機器の両方に搭載され得る。前者のステレオ再生の機器に搭載される場合、音源ＬＳＩのスピーカ端子３１および３２はＬチャネルのスピーカおよびＲチャネルのスピーカに各々接続され、電源端子２１および２２の両方が電源に接続される。そして、この機器におけるホストＣＰＵは、信号値が“０”であるモノラル／ステレオ制御信号Ｍ／Ｓを音源ＬＳＩに与える。これにより音源ＬＳＩでは、音源部から出力されるＬチャネルの音声信号がプリアンプ４１およびスピーカアンプ１１により増幅され、Ｒチャネルの音声信号がプリアンプ４２およびスピーカアンプ１２により増幅され、Ｌ、Ｒ２チャネルのスピーカからステレオ再生音が出力される。また、再生すべき音声信号がない等の理由により音声の再生を行わない場合、ホストＣＰＵから信号値が“１”であるパワーダウン制御信号ＰＤＬおよびＰＤＲが出力される。これによりスピーカアンプ１１および１２とプリアンプ４１および４２がパワーダウン状態となり、電源の消費電力が節約される。
【０００７】
一方、モノラル再生対応機器に搭載される場合、音源ＬＳＩのスピーカ端子３１がスピーカに接続される。そして、この機器におけるホストＣＰＵは、信号値が“１”であるモノラル／ステレオ制御信号Ｍ／Ｓを音源ＬＳＩに与える。これにより音源ＬＳＩでは、加算器５０から出力されるＬチャネルおよびＲチャネルの音声信号をミキシングした信号がプリアンプ４１およびスピーカアンプ１１により増幅され、スピーカ端子３１に接続されたスピーカからモノラル再生音が出力される。ホストＣＰＵは、使用しないスピーカアンプ１２およびプリアンプ４２をパワーダウン状態として消費電力を節約するため、パワーダウン制御信号ＰＤＲを常に“１”とする。そして、音声の再生を行わない場合、ホストＣＰＵは、パワーダウン制御信号ＰＤＬを“１”としてスピーカアンプ１１およびプリアンプ４１をパワーダウン状態とし、消費電力を節約する。
【発明の開示】
【発明が解決しようとする課題】
【０００８】
以上のように、従来の音源ＬＳＩは、ステレオ再生対応の機器に搭載した場合には音源部が発生する音声信号をステレオ再生音として出力させ、モノラル再生対応の機器に搭載した場合には音源部が発生する音声信号をモノラル再生音として出力させることができ、かつ、モノラル再生対応機器に搭載した場合には動作させないスピーカアンプおよびプリアンプをパワーダウン状態とし、消費電力を節約することができる。しかしながら、ステレオ再生対応の機器におけるホストＣＰＵは、信号値が“０”であるモノラル／ステレオ制御信号Ｍ／Ｓを音源ＬＳＩに与えるべきであるのに対し、モノラル再生対応の機器におけるホストＣＰＵは、信号値が“１”であるモノラル／ステレオ制御信号Ｍ／Ｓを音源ＬＳＩに与えるべきである。また、ステレオ再生対応の機器におけるホストＣＰＵは、音声の再生をするか否かに応じてパワーダウン制御信号ＰＤＬおよびＰＤＲの“０”／“１”切り換えを行うべきであるのに対し、モノラル再生対応の機器におけるホストＣＰＵは、パワーダウン制御信号ＰＤＲを常に“１”とし、音声の再生をするか否かに応じてパワーダウン制御信号ＰＤＬのみの“０”／“１”切り換えを行うべきである。このように従来の技術においては、ホストＣＰＵが音源ＬＳＩに対して行う制御の内容がステレオ再生対応の機器とモノラル再生対応の機器とで異なっており、いずれの機器に搭載するかにより、ホストＣＰＵのプログラムメモリに書き込む制御プログラムを変える必要があるという問題があった。
【０００９】
この発明は、以上説明した事情に鑑みてなされたものであり、上位装置からの指示によらず、ステレオ再生またはモノラル再生の動作の切り換えを自発的に行うことができるステレオ／モノラル切り換え回路および該回路を備えた集積回路を提供することを目的とする。
【課題を解決するための手段】
【００１０】
この発明は、スピーカの駆動を行う第１および第２のスピーカアンプのうち少なくとも第２のスピーカアンプに対する電源の供給の有無を判定する判定手段と、第１および第２のチャネルの音声信号をミキシングして出力するミキシング手段と、前記判定手段により前記第２のスピーカアンプに電源が供給されていると判定された場合には、前記第１および第２のチャネルの音声信号が前記第１および第２のスピーカアンプに各々供給され、前記判定手段により前記第２のスピーカアンプに電源が供給されていないと判定された場合には、前記第１のスピーカアンプに前記ミキシング手段の出力信号が供給されるように音声信号の伝達経路の切り換えを行う切り換え手段と、前記判定手段により前記第２のスピーカアンプに電源が供給されていないと判定された場合に、前記第２のスピーカアンプおよびこれを駆動する回路を強制的にパワーダウン状態とするパワーダウン制御手段とを具備することを特徴とするステレオ／モノラル切り換え回路を提供する。
また、この発明は、他の態様として、スピーカの駆動を行う第１および第２のスピーカアンプの各々に対する電源の供給の有無を判定する判定手段と、第１および第２のチャネルの音声信号をミキシングして出力するミキシング手段と、前記判定手段により前記第１および第２のスピーカアンプの両方に電源が供給されていると判定された場合には、前記第１および第２のチャネルの音声信号が前記第１および第２のスピーカアンプに各々供給され、前記判定手段により前記第１および第２のスピーカアンプの一方のみに電源が供給されていると判定された場合には、電源が供給されているスピーカアンプに前記ミキシング手段の出力信号が供給されるように音声信号の伝達経路の切り換えを行う切り換え手段と、前記判定手段により前記第１または第２のスピーカアンプに電源が供給されていないと判定された場合に、電源が供給されていないスピーカアンプおよびこれを駆動する回路を強制的にパワーダウン状態とするパワーダウン制御手段とを具備することを特徴とするステレオ／モノラル切り換え回路を提供する。
これらのステレオ／モノラル切り換え回路によれば、スピーカアンプへの電源供給の有無の判定結果に基づいて、ステレオ再生を行うべきかモノラル再生を行うべきかが決定され、ステレオ再生に対応した音声信号の伝達経路またはモノラル再生に対応した音声信号の伝達経路が形成され、さらにモノラル再生の場合において使用しないスピーカアンプおよびその駆動回路の強制的なパワーダウン制御が行われる。従って、このステレオ／モノラル切り換え回路を音源集積回路等の集積回路に搭載した場合には、同集積回路にステレオ再生を行わせるかモノラル再生を行わせるかにより同集積回路の制御内容を変える必要がない。
【発明を実施するための最良の形態】
【００１１】
以下、図面を参照し、この発明の実施の形態を説明する。
＜第１実施形態＞
図１は、この発明の第１実施形態であるステレオ／モノラル切り換え回路を有する音源ＬＳＩの出力部の構成を示す回路図である。なお、この図１において、図４に示されたものと対応する部分には、同一の符号が付されている。図１に示す出力部の前段には、Ｌ、Ｒ２チャネルの音声信号を出力する音源部が設けられているが、図示は省略されている。音源ＬＳＩは、この音源部と、図１に示す出力部とを同一チップ上に搭載してなる集積回路である。
【００１２】
本実施形態におけるステレオ／モノラル切り換え回路は、加算器５０と、判定部１０１および１０２と、切り換え部２００と、パワーダウン制御部３００とにより構成されている。
【００１３】
判定部１０１は、電源端子２１を介してスピーカアンプ１１に電源が供給されている場合に信号値“１”の信号を出力し、電源が供給されていない場合に信号値“０”の信号を出力する回路である。また、判定部１０２は、電源端子２２を介してスピーカアンプ１２に電源が供給されている場合に信号値“１”の信号を出力し、電源が供給されていない場合に信号値“０”の信号を出力する回路である。
【００１４】
切り換え部２００は、アナログスイッチ６１と、ＡＮＤゲート２０１とにより構成されている。ここで、ＡＮＤゲート２０１は、ハイアクティブの入力端子とロウアクティブの入力端子を有しており、ハイアクティブの入力端子には判定部１０１の出力信号が、ロウアクティブの入力端子には判定部１０２の出力信号が与えられる。アナログスイッチ６１は、ＡＮＤゲート２０１の出力信号が“０”である場合はＬチャネルの音声信号を、“１”である場合は加算器５０の出力信号を選択してプリアンプ４１に供給する。
【００１５】
パワーダウン制御部３００は、ハイアクティブの入力端子とロウアクティブの入力端子を備えたＯＲゲート３０１および３０２により構成されている。ここで、ＯＲゲート３０１のハイアクティブの入力端子には、音源ＬＳＩの外部のホストＣＰＵ（図示略）からパワーダウン制御信号ＰＤＬが与えられ、ロウアクティブの入力端子には判定部１０１の出力信号が与えられる。ＯＲゲート３０１の出力信号は、パワーダウン制御信号としてプリアンプ４１およびスピーカアンプ１１に供給される。ＯＲゲート３０２のハイアクティブの入力端子には、ホストＣＰＵからパワーダウン制御信号ＰＤＲが与えられ、ロウアクティブの入力端子には判定部１０２の出力信号が与えられる。ＯＲゲート３０２の出力信号は、パワーダウン制御信号としてプリアンプ４２およびスピーカアンプ１２に供給される。
以上が本実施形態の構成である。
【００１６】
次に本実施形態の動作について説明する。音源ＬＳＩがステレオ対応の機器に搭載される場合、電源端子２１および２２の両方が電源に接続され、スピーカアンプ１１および１２の両方に電源が供給される。このため、判定部１０１および１０２の出力信号はいずれも“１”となり、ＡＮＤゲート２０１の出力信号は“０”となる。
【００１７】
従って、Ｌチャネルの音声信号ＳＬがアナログスイッチ６１により選択される。アナログスイッチ６１により選択されたＬチャネルの音声信号はプリアンプ４１およびスピーカアンプ１１により増幅されてスピーカ端子３１から出力され、一方、Ｒチャネルの音声信号はプリアンプ４２およびスピーカアンプ１２により増幅されてスピーカ端子３２から出力される。これにより、スピーカ端子３１および３２に接続されたＬ、Ｒ２チャネルのスピーカからステレオ再生音が出力される。
【００１８】
また、判定部１０１および１０２の出力信号がいずれも“１”であることから、ホストＣＰＵから供給されるパワーダウン制御信号ＰＤＬは、ＯＲゲート３０１を介してプリアンプ４１およびスピーカアンプ１１に供給され、パワーダウン制御信号ＰＤＲは、ＯＲゲート３０２を介してプリアンプ４２およびスピーカアンプ１２に供給され、音声の再生をするか否かに応じたパワーダウン制御が行われる。
【００１９】
一方、音源ＬＳＩがモノラル対応の機器に搭載される場合、電源端子２１のみが電源に接続され、スピーカアンプ１１のみに電源が供給される。電源端子２２は、電源に接続されず、スピーカアンプ１２には電源は供給されない。このため、判定部１０１の出力信号が“１”、判定部１０２の出力信号が“０”となり、ＡＮＤゲート２０１の出力信号は“１”となる。
【００２０】
従って、加算器５０から出力されるＬチャネルの音声信号ＳＬおよびＲチャネルの音声信号ＳＲをミキシングした音声信号がアナログスイッチ６１により選択される。アナログスイッチ６１により選択された音声信号はプリアンプ４１およびスピーカアンプ１１により増幅されてスピーカ端子３１から出力される。これにより、スピーカ端子３１に接続されたスピーカからモノラル再生音が出力される。
【００２１】
また、判定部１０２の出力信号が“０”であることから、ＯＲゲート３０２は、ホストＣＰＵから供給されるパワーダウン制御信号ＰＤＲのレベル如何に拘わらず、常に信号値“１”を持ったパワーダウン制御信号をプリアンプ４２およびスピーカアンプ１２に与える。このため、プリアンプ４２およびスピーカアンプ１２は、常にパワーダウン状態となる。
【００２２】
また、判定部１０１の出力信号が“１”であることから、ホストＣＰＵからのパワーダウン制御信号ＰＤＬは、ＯＲゲート３０１を介してプリアンプ４１およびスピーカアンプ１１に供給される。従って、プリアンプ４１およびスピーカアンプ１１については、ホストＣＰＵからのパワーダウン制御信号ＰＤＬを反映したパワーダウン制御が行われる。
【００２３】
以上説明したように、本実施形態におけるステレオ／モノラル切り換え回路では、スピーカアンプ１１および１２への電源供給の有無に基づいて、プリアンプ４１に供給する音声信号をＬチャネルの音声信号とするか加算器５０の出力信号とするかの切り換えを自動的に行うので、ホストＣＰＵは、上述した従来技術のようにモノラル／ステレオ制御信号Ｍ／Ｓを出力する必要はない。また、本実施形態では、音源ＬＳＩがモノラル再生対応機器に搭載され、スピーカアンプ１２に電源が供給されない場合には、ホストＣＰＵがステレオ再生を想定してパワーダウン制御信号ＰＤＬおよびＰＤＲを出力したとしても、ステレオ／モノラル切り換え回路は、パワーダウン制御信号ＰＤＬのみをプリアンプ４１およびスピーカアンプ１１のパワーダウン制御に使用し、プリアンプ４２およびスピーカアンプ１２については常に強制的にパワーダウン状態とする。従って、ステレオ再生対応機器に搭載される場合とモノラル再生対応機器に搭載される場合とで、ホストＣＰＵによる音源ＬＳＩの制御内容を同一にすることができ、ステレオ再生対応機器の製造およびモノラル再生対応機器の製造の全体としてのコストを低減することができる。
【００２４】
＜第２実施形態＞
図２はこの発明の第２実施形態であるステレオ／モノラル切り換え回路を有する音源ＬＳＩの出力部の構成を示す回路図である。このステレオ／モノラル切り換え回路では、判定部１０２によりスピーカアンプ１２に電源が供給されているか否かのみを判定する。本実施形態では、判定部１０１は設けられていない。本実施形態における切り換え部２００Ａは、上記第１実施形態における切り換え部２００のＡＮＤゲート２０１をインバータ２０３に置き換えた構成となっている。また、本実施形態におけるパワーダウン制御部３００Ａは、上記第１実施形態におけるパワーダウン制御部３００からＯＲゲート３０１を削除し、ホストＣＰＵからのパワーダウン制御信号ＰＤＬをプリアンプ４１およびスピーカアンプ１１に直接供給する構成となっている。
【００２５】
インバータ２０３は、判定部１０２の出力信号を反転して出力する。スピーカアンプ１２に電源が供給されている場合には、判定部１０２の出力信号は“１”、インバータ２０３の出力信号は“０”となる。この場合、Ｌチャネルの音声信号がアナログスイッチ６１により選択されてプリアンプ４１に供給される。また、ホストＣＰＵからのパワーダウン制御信号ＰＤＬは、プリアンプ４１およびスピーカアンプ１１に、パワーダウン制御信号ＰＤＲは、プリアンプ４２およびスピーカアンプ１２に供給される。一方、スピーカアンプ１２に電源が供給されていない場合には、判定部１０２の出力信号は“０”、インバータ２０３の出力信号は“１”となる。この場合、加算器５０の出力信号がアナログスイッチ６１により選択されてプリアンプ４１に供給される。また、プリアンプ４２およびスピーカアンプ１２については、パワーダウン制御信号ＰＤＲのレベル如何に拘わらず、常にパワーダウン状態となる。
【００２６】
本実施形態は、上記第１実施形態よりも少ない素子数で、上記第１実施形態と同様な効果を得ることができるという利点がある。
【００２７】
＜第３実施形態＞
図３はこの発明の第３実施形態であるステレオ／モノラル切り換え回路を有する音源ＬＳＩの出力部の構成を示す回路図である。このステレオ／モノラル切り換え回路では、上記第１実施形態における切り換え部２００が切り換え部２００Ｂに置き換えられている。この切り換え部２００Ｂは、切り換え部２００に対してＡＮＤゲート２０２およびアナログスイッチ６２を追加した構成となっている。ＡＮＤゲート２０２は、判定部１０１の出力信号が“０”、判定部１０２の出力信号が“１”の場合に限り、“１”を出力し、それ以外の場合は“０”を出力する。アナログスイッチ６２は、ＡＮＤゲート２０２の出力信号が“０”の場合はＲチャネルの音声信号を選択してプリアンプ４２に供給し、“１”の場合は加算器５０の出力信号を選択してプリアンプ４２に供給する。
【００２８】
音源ＬＳＩがステレオ再生対応機器に搭載される場合、スピーカアンプ１１および１２の両方に電源が供給される。この場合、判定部１０１および１０２の出力信号がいずれも“１”、ＡＮＤゲート２０１および２０２の出力信号はいずれも“０”となる。このため、Ｌチャネルの音声信号がアナログスイッチ６１により選択されてプリアンプ４１に供給され、Ｒチャネルの音声信号がアナログスイッチ６２により選択されてプリアンプ４２に供給される。また、ホストＣＰＵからのパワーダウン制御信号ＰＤＬはＯＲゲート３０１を介してプリアンプ４１およびスピーカアンプ１１に供給され、パワーダウン制御信号ＰＤＲはＯＲゲート３０２を介してプリアンプ４２およびスピーカアンプ１２に供給される。これにより音源ＬＳＩではステレオ再生およびこれに対応したパワーダウン制御が実現される。
【００２９】
音源ＬＳＩをモノラル再生対応機器に搭載する場合、本実施形態では、スピーカアンプ１１をモノラル再生に利用することもできるし、スピーカアンプ１２をモノラル再生に利用することもできる。前者の場合、スピーカ端子３１にスピーカを接続し、電源端子２１のみに電源を接続する。この場合、判定部１０１の出力信号が“１”、判定部１０２の出力信号が“０”、ＡＮＤゲート２０１の出力信号が“１”、ＡＮＤゲート２０２の出力信号が“０”となる。ＡＮＤゲート２０１の出力信号が“１”であるため、加算器５０の出力信号がアナログスイッチ６１により選択されてプリアンプ４１に供給され、スピーカ端子３１に接続されたスピーカからモノラル再生音が出力される。また、判定部１０１の出力信号が“１”であることから、ホストＣＰＵからのパワーダウン制御信号ＰＤＬがＯＲゲート３０１を介してプリアンプ４１およびスピーカアンプ１１に供給される。一方、ＡＮＤゲート２０２の出力信号が“０”であるため、Ｒチャネルの音声信号がアナログスイッチ６２により選択されてプリアンプ４２に供給される。しかし、判定部１０２の出力信号が“０”であることから、プリアンプ４２およびスピーカアンプ１２は強制的にパワーダウン状態とされる。
【００３０】
後者の場合、スピーカ端子３２にスピーカを接続し、電源端子２２のみに電源を接続する。この場合、判定部１０１の出力信号が“０”、判定部１０２の出力信号が“１”、ＡＮＤゲート２０１の出力信号が“０”、ＡＮＤゲート２０２の出力信号が“１”となる。ＡＮＤゲート２０２の出力信号が“１”であるため、加算器５０の出力信号がアナログスイッチ６２により選択されてプリアンプ４２に供給され、スピーカ端子３２に接続されたスピーカからモノラル再生音が出力される。また、判定部１０２の出力信号が“１”であることから、ホストＣＰＵからのパワーダウン制御信号ＰＤＲがＯＲゲート３０２を介してプリアンプ４２およびスピーカアンプ１２に供給される。一方、ＡＮＤゲート２０１の出力信号が“０”であるため、Ｌチャネルの音声信号がアナログスイッチ６１により選択されてプリアンプ４１に供給される。しかし、判定部１０１の出力信号が“０”であることから、プリアンプ４１およびスピーカアンプ１１は強制的にパワーダウン状態とされる。
【００３１】
以上のように本実施形態によれば、上記第１実施形態と同様の効果が得られる。また、本実施形態は、音源ＬＳＩをモノラル再生対応機器に搭載する場合に、スピーカアンプ１１または１２のいずれをモノラル再生に利用するかを任意に選択することができるという利点がある。
【００３２】
以上、この発明の第１〜第３実施形態について説明したが、この発明にはこれ以外にも他の実施形態が考えられる。例えば上記各実施形態では、パワーダウン制御信号によりスピーカアンプとその前段のプリアンプのパワーダウン制御を行うようにしたが、さらにプリアンプの前段の回路を含めてパワーダウン制御の対象としてもよい。また、上記実施形態では、ステレオ／モノラル切り換え回路を音源ＬＳＩに搭載したが、ステレオ再生およびモノラル再生に用いられる音源ＬＳＩ以外の集積回路に上記各実施形態のステレオ／モノラル切り換え回路を搭載してもよい。また、上記実施形態では、ホストＣＰＵは音源ＬＳＩの外部の装置であったが、ホストＣＰＵとして機能する回路を備えた音源ＬＳＩに上記実施形態のステレオ／モノラル切り換え回路を搭載してもよい。
【図面の簡単な説明】
【００３３】
【図１】この発明の第１実施形態であるステレオ／モノラル切り換え回路を有する音源ＬＳＩの出力部の構成を示す回路図である。
【図２】この発明の第２実施形態であるステレオ／モノラル切り換え回路を有する音源ＬＳＩの出力部の構成を示す回路図である。
【図３】この発明の第３実施形態であるステレオ／モノラル切り換え回路を有する音源ＬＳＩの出力部の構成を示す回路図である。
【図４】従来の音源ＬＳＩの出力部の構成を示す回路図である。
【符号の説明】
【００３４】
１１，１２……スピーカアンプ、２１，２２……電源端子、３１，３２……スピーカ端子、１０１，１０２……判定部、４１，４２……プリアンプ、５０……加算器、２００，２００Ａ，２００Ｂ……切り換え部、３００，３００Ａ……パワーダウン制御部。
【図１】
0004779655.tif 000002
【図２】
0004779655.tif 000003
【図３】
0004779655.tif 000004
【図４】
0004779655.tif 000005